(57)【要約】      （修正有）【課題】遮蔽材の開放／閉鎖動作の自由度を向上させる水平窓または傾斜窓用ブラインドを提供する。【解決手段】巻取パイプ２４と、巻取パイプに連結されるスクリーン２６（遮蔽材）と、スクリーンの他端に連結されるウエイトバー２８と、ウエイトバーの両端部から突出するガイドローラと、スクリーンの左右に設置されたガイドレール１２と、遮蔽材を開閉する駆動機構とを備え、スクリーンを開閉する水平窓または傾斜窓用ブラインドにおいて、ガイドレールにガイドローラが走行可能なレール部１２ｂ、１２ｃを上下２列に設け、レール部１２ｂ、１２ｃ間に複数の連通部１２ｄを形成し、ガイドローラ（ウエイトバー２８）が板バネ１６（閉鎖部材）を押し上げて連通部１２ｄを介して上下のレール部１２ｂ、１２ｃ間を移動できる。ガイドローラ（ウエイトバー２８）は、一方のレール部１２ｂに１つ以上配設されたストッパー１８によって係止可能である。【選択図】図２
2013174108.tif 000002
【特許請求の範囲】
【請求項１】
遮蔽材支持部材（２４）と、一端が遮蔽材支持部材に連結される遮蔽材（２６）と、遮蔽材の他端に連結される端部バー（２８、３０）と、遮蔽材の左右に設置されたガイドレール（１２）と、遮蔽材の開閉動作を可能にする駆動機構と、を備え、端部バーがガイドレールに沿って走行することにより遮蔽材の開閉を可能にした水平窓または傾斜窓用ブラインドにおいて、
ガイドレールには端部バーが走行可能なレール部（１２ｂ、１２ｃ）が上下２列に設けられており、上下のレール部の間には複数の連通部（１２ｄ）が形成され、端部バーは連通部を介して上下のレール部の間を移動可能とされ、一方のレール部（１２ｃ）には少なくとも１つ以上のストッパー（１８）が配設され、端部バーはストッパーによって係止可能であることを特徴とする水平窓または傾斜窓用ブラインド。
【請求項２】
一方のレール部に配設されたストッパーは、連通部に対応して設けられることを特徴とする請求項１記載の水平窓または傾斜窓用ブラインド。
【請求項３】
連通部は、一方のレール部から他方のレール部への端部バーの移動を許容する一方で、他方のレール部から一方のレール部への端部バーの移動を規制することを特徴とする請求項１または２記載の水平窓または傾斜窓用ブラインド。
【請求項４】
連通部には、通常は連通部を閉鎖して端部バーの上下のレール部の間の移動を規制するが、端部バーからの押圧力により連通部を開放して上下のレール部の間の移動を可能とする閉鎖部材（１６）が設けられていることを特徴とする請求項１ないし３のいずれか１項に記載の水平窓または傾斜窓用ブラインド。
【請求項５】
複数の連通部のうち、少なくとも最も遮蔽材支持部材寄りに形成される連通部よりも遮蔽材支持部材寄りにはストッパーが配設されないことを特徴とする請求項１ないし４のいずれか１項に記載の水平窓または傾斜窓用ブラインド。
【請求項６】
最も遮蔽材支持部材寄りに形成される連通部よりも遮蔽材支持部材寄りには第２連通部（１４）が形成され、端部バーは第２連通部を介して他方のレール部から一方のレール部へと移動可能であることを特徴とする請求項１ないし５のいずれか１項に記載の水平窓または傾斜窓用ブラインド。
【発明の詳細な説明】
【技術分野】
【０００１】
本発明は、水平窓または傾斜窓用ブラインドに関する。
【背景技術】
【０００２】
従来の水平窓または傾斜窓用ブラインドとして、特許文献１に示されるものが知られている。これに示されるものは、ブラインド枠の一つの枠材の内縁に沿って取付けられた巻取ロールと、巻取ロールに巻取り及び巻解き可能なスクリーンと、スクリーンの先端に取付けられた端部バーと、からなり、ブラインド枠の上記枠材と直交する枠材には、端部バーの長手方向の端部を走行自在に保持するガイド溝が設けられており、ガイド溝には端部バーに設けた係止用突部が着脱自在に係止するストッパー用切欠部が形成されており、端部バーは、ガイド溝の溝幅とほぼ同じ厚みを有する先端側に対して後端側の厚みが薄く、スクリーン面と直交する方向に可動となっているとともに、係止用突部がストッパー用切欠部に係合する方向と同方向に突出する操作片を後方側に備えている。
【０００３】
これにより、端部バーの操作片をつかんでスクリーンを引き出すとき、係止用突部がモーメントによってストッパー用切欠部に係合する方向に付勢されるため、係合位置において係止用突部がストッパー用切欠部に自動的に係合され、スクリーンを閉じた状態を保持することができる。一方、操作片を押すだけで係止用突部とストッパー用切欠部との係合が解除され、スクリーンを開放することができるようになっている。
【先行技術文献】
【特許文献】
【０００４】
【特許文献１】実公平５−４２２４０号公報
【発明の概要】
【発明が解決しようとする課題】
【０００５】
しかしながら、特許文献１記載のものでは、操作片をつかんで操作しているときには、係止用突部をストッパー用切欠部に係合させることが可能であるが、スクリーンを閉鎖方向に操作中にストッパー用切欠部がないところで誤って操作片から手を放してしまった場合には、係止用突部とストッパー用切欠部とが係合せずに、スクリーンが巻取ロールに最後まで巻取られて完全に開放されてしまうという問題がある。
【０００６】
かかる問題を回避するために、ストッパー用切欠部を途中に複数、設けることも考えられるが、そうすると一気に開放したい場合でも、途中のストッパー用切欠部に係止用突部が係合するおそれがあり、開放動作が阻害されるという問題がある。
【０００７】
本発明はかかる課題に鑑みなされたもので、遮蔽材の開放動作及び／または閉鎖動作の自由度を向上させることができる水平窓または傾斜窓用ブラインドを提供することをその目的とする。
【課題を解決するための手段】
【０００８】
前述した目的を達成するために、請求項１記載の発明は、遮蔽材支持部材と、一端が遮蔽材支持部材に連結される遮蔽材と、遮蔽材の他端に連結される端部バーと、遮蔽材の左右に設置されたガイドレールと、遮蔽材の開閉動作を可能にする駆動機構と、を備え、端部バーがガイドレールに沿って走行することにより遮蔽材の開閉を可能にした水平窓または傾斜窓用ブラインドにおいて、
ガイドレールには端部バーが走行可能なレール部が上下２列に設けられており、上下のレール部の間には複数の連通部が形成され、端部バーは連通部を介して上下のレール部の間を移動可能とされ、一方のレール部には少なくとも１つ以上のストッパーが配設され、端部バーはストッパーに係止可能であることを特徴とする。
【０００９】
請求項２記載の発明は、請求項１記載の発明において、一方のレール部に配設されたストッパーは、連通部に対応して設けられることを特徴とする。
【００１０】
請求項３記載の発明は、請求項１または２記載の発明において、連通部は、一方のレール部から他方のレール部への端部バーの移動を許容する一方で、他方のレール部から一方のレール部への端部バーの移動を規制することを特徴とする。
【００１１】
請求項４記載の発明は、請求項１ないし３のいずれか１項に記載の発明において、連通部には、通常は連通部を閉鎖して端部バーの上下のレール部の間の移動を規制するが、端部バーからの押圧力により連通部を開放して上下のレール部の間の移動を可能とする閉鎖部材が設けられていることを特徴とする。
【００１２】
請求項５記載の発明は、請求項１ないし４のいずれか１項に記載の発明において、複数の連通部のうち、少なくとも最も遮蔽材支持部材寄りに形成される連通部よりも遮蔽材支持部材寄りにはストッパーが配設されないことを特徴とする。
【００１３】
請求項６記載の発明は、請求項１ないし５のいずれか１項に記載の発明において、最も遮蔽材支持部材寄りに形成される連通部よりも遮蔽材支持部材寄りには第２連通部が形成され、端部バーは第２連通部を介して他方のレール部から一方のレール部へと移動可能であることを特徴とする。
【発明の効果】
【００１４】
本発明によれば、遮蔽材を閉鎖させるときには、端部バーを操作してストッパーを乗り越えながらガイドレールの一方のレール部を走行させ、所望のストッパーの位置で端部バーの操作を止めて、ストッパーにより係止される位置で端部バーを停止させることにより、遮蔽材を閉位置で保持することができる。
【００１５】
遮蔽材の閉鎖途中で誤って端部バーの操作を止めてしまっても、その手前のストッパーによって端部バーが確実に係止されるため、駆動機構によって遮蔽材が完全に開放されてしまうことを防止することができる。
【００１６】
遮蔽材を開放するときは、ストッパーによる端部バーの係止を解除し、端部バーが連通部を通って一方のレール部から他方のレール部に移動することにより、端部バーはストッパーに係止されることなく他方のレール部を走行して全開位置まで達することができる。
【００１７】
こうして、遮蔽材の開放動作及び／または閉鎖動作の自由度を向上させることができる。
【図面の簡単な説明】
【００１８】
【図１】本発明の実施の形態を示す断面図である。
【図２】本発明の実施形態の側断面図であり、（ａ）は全閉状態を、（ｂ）は全開状態を、それぞれ表わす。
【図３】本発明の実施の形態においてスクリーンを閉鎖する操作を模式的に表した側断面図であり、（ａ）は全開からスクリーンを閉じる途中の状態を、（ｂ）はストッパーを乗り越える途中の端部バーの軌跡を、（ｃ）はストッパーを乗り越えた後の端部バーの軌跡を、（ｄ）は閉鎖途中で操作を止めたときの端部バーの軌跡を、（ｅ）は閉鎖途中で操作を止めた後の端部バーの軌跡を、それぞれ示す。
【図４】本発明の実施の形態においてスクリーンを開放する操作を模式的に表した側断面図であり、（ａ）はスクリーンが全閉の状態を、（ｂ）は端部バーをスクリーン開放方向に操作した状態を、（ｃ）は端部バーが他方のレール部を走行している状態を、（ｄ）は開放方向に移動している端部バーの軌跡を、（ｅ）は全開状態になる際の端部バーの軌跡を、それぞれ示す。
【発明を実施するための形態】
【００１９】
以下、図面を用いて本発明の実施の形態を説明する。
【００２０】
図１及び図２に示すように、一対の横のフレーム１０ａ、１０ｂと、左右一対の縦のフレーム１０ｃ、１０ｄとから構成される四角の枠型のフレーム１０が、図示していない窓枠に水平にまたは傾斜して取付けられており、一対の縦のフレーム１０ｃ、１０ｄには長さ方向全長に亘ってガイドレール１２が設けられている。
【００２１】
一方の横フレーム１０ａには、ブラケット２０を介して取付フレーム２２が取り付けられており、取付フレーム２２の両端部には、巻取パイプ（遮蔽材支持部材）２４の両端部が回転可能に支持される。巻取パイプ２４にはスクリーン（遮蔽材）２６の一端が巻取及び巻解き可能に連結され、スクリーン２６の他端にはウエイトバー（端部バー）２８が連結される。ウエイトバー２８の両端部にはガイドローラ３０が設けられており、両ガイドローラ３０はガイドレール１２内へと突出して、ガイドレール１２内を走行可能である。ウエイトバー２８の長手方向中央位置にはグリップ３２が設けられており、グリップ３２を持ってウエイトバー２８を引き出すことにより、スクリーン２６が巻解かれる。巻取パイプ２４は、図示していない駆動機構を内蔵しており、駆動機構によりスクリーン２６を常時巻取る方向へ回転するように付勢されている。
【００２２】
ガイドレール１２は、これの高さ方向途中位置に設けられる仕切り板１２ａにより上下２列のレール部１２ｂ、１２ｃに仕切られている。仕切り板１２ａには、その長さ方向において、所定間隔毎に、２列のレール部１２ｂ、１２ｃの間を連通する複数の連通部１２ｄが設けられる。
【００２３】
各連通部１２ｄは板バネ（閉鎖部材）１６によってそれぞれ覆われている。ここで、ガイドレール１２において、巻取パイプ２４を支持する取付フレーム２２が取り付けられた側の一方の横フレーム１０ａ側を上流、他方の横フレーム１０ｂ側を下流と称するものとする。各板バネ１６の上流側端部は自由端であり、その上流側の連通部１２ｄの縁部に近接配置されている。一方、板バネ１６の下流側端部はその下流側の連通部１２ｄの縁部付近の仕切り板１２ａの下面に固定された固定端である。板バネ１６は、通常は連通部１２ｄを覆い、ガイドローラ３０の２列のレール部１２ｂ、１２ｃ間の移動を規制するが、ガイドローラ３０からの押し上げ力により、固定端を起点として自由端が連通部１２ｄを開放する方向に弾性変形可能となっている。但し、ガイドローラ３０の自重では変形せず、閉鎖を保持可能に設定される。
【００２４】
下方のレール部１２ｂには複数の連通部１２ｄとそれぞれ対向する位置にストッパー１８が配設されている。最も下流側に配置されるストッパー１８はスクリーン２６の全閉位置に配置される。ストッパー１８は、上部面１８ａが傾斜して上流側を向いており、下流側面１８ｂが下側を向いており、側方からみて全体で略三角形状の断面をなしている。
【００２５】
図２（ａ）に示すように、ストッパー１８の上部面１８ａをガイドローラ３０が乗り越え可能となっており、下流側面１８ｂはガイドローラ３０を係止可能である。また、最も巻取パイプ２４寄りの連通部１２ｄよりも巻取パイプ２４寄りには、ストッパー１８は配設されていない。
【００２６】
また、仕切り板１２ａの巻取パイプ２４側端部と、巻取パイプ２４との間にはウエイトバー２８が通過可能な空間（第２連通部）１４が設けられている。
【００２７】
図２及び図３を用いて、スクリーン２６を閉鎖する際の動作について説明する。
【００２８】
この例では、全開状態のスクリーンを閉鎖する場合について説明するが、半開状態のスクリーン２６を閉鎖する場合についても同様に行うことができる。
【００２９】
図２（ｂ）に示すように全開状態のスクリーン２６において、これを閉鎖する場合、グリップ３２を持ってウエイトバー２８を引き出す。この際、グリップ３２が下方に向かって通常操作されるために、ガイドローラ３０は、図３（ａ）に示すように、下方のレール部１２ｂを走行することになる。ガイドローラ３０が下方のレール部１２ｂを走行していくと、ガイドローラ３０はストッパー１８に当接するが、上部面１８ａ上を上昇し、図３（ｂ）に示すように、板バネ１６を押し上げながらストッパー１８を乗り越える。この際、ガイドローラ３０はこれの一部が一時的に上方のレール部１２ｃ内に挿入されるが、ガイドローラ３０は板バネ１６の固定端側に向かって移動しており、板バネ１６によって上方のレール部１２ｃへの移動が規制されるため、図３（ｃ）に示すように、乗り越えた後は、ガイドローラ３０は下方のレール部１２ｂ内に戻り再び走行を続け、板バネ１６も元の位置に戻る。ガイドローラ３０はストッパー１８毎にこのような動作を繰り返しながら、下流方向に走行していく。
【００３０】
そして、図３（ｄ）に示すように、スクリーン２６の閉鎖途中で誤ってグリップ３２から手が離れてしまうと、駆動機構により巻取パイプ２４がスクリーン２６を巻取る方向へ回転し、ガイドローラ３０が上流方向へ走行するが、図３（ｅ）に示すように、ガイドローラ３０が上流側の最も近いストッパー１８に当接すると、ストッパー１８の下流側面１８ｂに係止されるので、スクリーン２６が半開状態で停止する。
【００３１】
スクリーン２６の下降途中で誤ってグリップ３２から手が離れてしまった場合のみならず、スクリーン２６を半開状態にしたい場合も同様であり、所望の位置でウエイトバー２８の引き出し操作を止め、グリップ３２から手を放すと、グリップ３２から手を離した位置から上流側の最も近いストッパー１８にガイドローラ３０が係止されるため、その位置でスクリーン２６を停止させて保持することができる。
【００３２】
スクリーン２６を全閉状態にしたい場合は、ガイドローラ３０を最も下流側に位置するストッパー１８を乗り越えた位置まで走行させた後に、ウエイトバー２８の引き出し操作を止め、グリップ３２から手を放すと、図２（ａ）に示すように、ガイドローラ３０が最も下流側に位置するストッパー１８の下流側面１８ｂに係止されて、スクリーン２６が全閉状態で保持される。
【００３３】
次に、図４を用いてスクリーン２６を開放する際の動作について説明する。
【００３４】
この例では、全閉状態のスクリーン２６を開放する場合について説明するが、半開状態のスクリーン２６を開放する場合も同様に行うことができる。
【００３５】
図４（ａ）に示すように全閉状態のスクリーン２６において、これを開放する場合、グリップ３２を持ってウエイトバー２８を上方に押し上げる。これにより、図４（ｂ）に示すように、最も下流側に位置するストッパー１８の下流側面１８ｂに係止されていたガイドローラ３０が上方に移動し、板バネ１６を押し上げて、連通部１２ｄを開放し、この連通部１２ｄから上方のレール部１２ｃに移動する。
【００３６】
図４（ｃ）に示すように、ガイドローラ３０が上方のレール部１２ｃに移動した後に、グリップ３２から手を放すと、駆動機構により巻取パイプ２４がスクリーン２６を巻取る方向へ回転し、図４（ｄ）に示すように、ガイドローラ３０が上方のレール部１２ｃを上流方向へ走行する。この際、ガイドローラ３０は板バネ１６上も走行するが、ガイドローラ３０の自重により板バネ１６が下方のレール部１２ｂ方向に弾性変形することはない。このように、板バネ１６は、ガイドローラ３０が走行中に連通部１２ｄを通って上方のレール部１２ｃから下方のレール部１２ｂに落下することを防止し、意に反した上下のレール部の間での移動を防止することができる。
【００３７】
そして、図４（ｅ）に示すように、ガイドローラ３０が仕切り板１２ａのロールスクリーン側端部まで走行すると、ガイドローラ３０は空間１４を通って、ガイドレール１２を下方のレール部１２ｂ側の位置まで移動し、スクリーン２６が巻取パイプ２４に全て巻取られた状態で停止する。
【００３８】
こうして、ガイドローラ３０を上方のレール部１２ｃに移動させるワンタッチの操作で、スクリーン２６を一気に巻取って開放することができる。
【００３９】
なお、上記実施の形態では、巻取パイプ２４に隣接して第２連通部としての空間１４が設けられていたが、これに限定されるものではなく、仕切り板１２ａの連通部１２ｄと同様の最も巻取パイプ２４側の連通部を第２連通部としてもよい。その場合であっても、第２連通部には板バネ１６を設けず、第２連通部を通って、上方のレール部１２ｃから下方のレール部１２ｂへとガイドローラ３０が自在に移動可能になっているとよい。これによって、スクリーン２６を完全に巻取ったときに、ガイドローラ３０を自動的に、下方のレール部１２ｂへと戻すことができる。また、この第２連通部から巻取パイプ２４までの間には、ストッパー１８は設けないようにするとよい。これによって、ストッパー１８に係止することなく、スクリーン２６を完全に巻取ることができる。さらにストッパー１８の上部面１８ａをガイドローラ３０が乗り越えるときに、ガイドローラ３０によってストッパー１８が下方に押し込まれるようにしてもよい。これによって、ガイドローラ３０が下方のレール部１２ｂ内において上下動することなくスクリーンの閉鎖動作を行なうことができる。
【符号の説明】
【００４０】
１２  ガイドレール
１２ｂ  下方のレール部
１２ｃ  上方のレール部
１２ｄ  連通部
１４  空間（第２連通部）
１６  板バネ（閉鎖部材）
１８  ストッパー
２４  巻取パイプ（遮蔽材支持部材）
２６  スクリーン（遮蔽材）
２８  ウエイトバー（端部バー）
３０  ガイドローラ（端部バー）
【図１】
2013174108.tif 000003
【図２】
2013174108.tif 000004
【図３】
2013174108.tif 000005
【図４】
2013174108.tif 000006